(57)【要約】【課題】頸部、肩部、背部のマッサージが可能なマッサージ機のローラユニットを提供する。【解決手段】二本のメインフレーム１と、サブフレーム２と、二つのメインローラ３と、四つのサブローラ４とからなり、前記二本のメインフレーム１は、主軸１１によって枢動可能に接続され、揺動可能な状態となり、一端にはメインローラ軸１３が設けられ、他端には接続軸１４が設けられ、前記サブフレーム２は、接続軸１４に枢動可能に接続され、両端にはサブローラ軸２１が設けられ、前記二つのメインローラ３は、前記メインローラ軸１３に回動可能に接続され、前記四つのサブローラ４は、前記サブローラ軸２１に回動可能に接続され、座体Ｃに連結してガイド溝Ｂを移動させる時、メインフレーム１は主軸１１を軸として揺動し、サブフレーム２は接続軸１４を軸として揺動し、外側のサブローラ４を比較的外部に突出させることができる。【選択図】  図３
0003109630.tif 000002
【実用新案登録請求の範囲】
【請求項１】
二本のメインフレームと、サブフレームと、二つのメインローラと、四つのサブローラとからなり、
前記二本のメインフレームは、主軸によって枢動可能に接続されており、揺動可能な状態となっており、一端にはメインローラ軸が設けられており、他端には接続軸が設けられており、
前記サブフレームは、接続軸に枢動可能に接続されており、両端にはサブローラ軸が設けられており、
前記二つのメインローラは、前記メインローラ軸に回動可能に接続されており、
前記四つのサブローラは、前記サブローラ軸に回動可能に接続されており、
座体に連結してガイド溝を移動させる時、メインフレームは主軸を軸として揺動し、サブフレームは接続軸を軸として揺動し、外側のサブローラを比較的外部に突出させることができることを特徴とするマッサージ機のローラユニット。
【請求項２】
底部の接続部材によって座体に連結されていることを特徴とする請求項１記載のマッサージ機のローラユニット。
【請求項３】
前記メインローラと前記サブローラは同一のサイズであることを特徴とする請求項１記載のマッサージ機のローラユニット。
【請求項４】
前記メインフレームの一側の底部には底部ストッパが設けられており、他側にはストッパ突部が設けられており、接続軸には軸突部が設けられており、サブフレームの軸突部に対応する部分には切欠が設けられており、それらが揺動を制限していることを特徴とする請求項１記載のマッサージ機のローラユニット。
【考案の詳細な説明】
【技術分野】
【０００１】
本考案はマッサージ機のローラユニットの改良に関し、特に頸部、肩部、背部のマッサージが可能なマッサージ機のローラユニットに関わる。
【背景技術】
【０００２】
人間は年齢とともに体の各器官も衰えるものであり、特に筋肉や骨格は年齢を重ねると病気になりやすく、その中でも背部は中年以上の人にとって問題が起こりやすい部位であり、そのために背部のマッサージ機が誕生した。
【０００３】
公知構造の背部マッサージ機は、ローラユニットが設置されており、それを上下に移動させる方式のものであり、例えば特許文献１「チェーン式ローラマッサージ機の滑動定位構造」、特許文献２「電動ローラーマッサージ用ユニット式ローラー駆動装置、及びこれを設置した電動ローラーマッサージ具」などがある。
【０００４】
これらのローラユニットの基本的な構造は左右両組に各二つずつの回動可能のローラが設置されており、それらが一本のフレームの両端に連結されており、非直線であるので、背部によって押圧された時、前記ローラはその押圧を受けて揺動し、マッサージ効果を達成する。
【０００５】
この方式により基本的なマッサージ効果は達成することができるが、背部のみにしかマッサージができず、肩部、頚部にまでマッサージ範囲を広げることはできず、一本のフレームに一組の揺動部分があるのみであり、改良の余地がある。
【特許文献１】台湾実願０９１２０７７８９号公報
【特許文献２】台湾実願８９２１５６７３号公報
【考案の開示】
【考案が解決しようとする課題】
【０００６】
本考案の目的は、頸部、肩部、背部のマッサージが可能なマッサージ機のローラユニットを提供することである。
【課題を解決するための手段】
【０００７】
前記課題を解決するため、請求項１の考案は、二本のメインフレームと、サブフレームと、二つのメインローラと、四つのサブローラとからなり、前記二本のメインフレームは、主軸によって枢動可能に接続されており、揺動可能な状態となっており、一端にはメインローラ軸が設けられており、他端には接続軸が設けられており、前記サブフレームは、接続軸に枢動可能に接続されており、両端にはサブローラ軸が設けられており、前記二つのメインローラは、前記メインローラ軸に回動可能に接続されており、前記四つのサブローラは、前記サブローラ軸に回動可能に接続されており、座体に連結してガイド溝を移動させる時、メインフレームは主軸を軸として揺動し、サブフレームは接続軸を軸として揺動し、外側のサブローラを比較的外部に突出させることができることを特徴とするマッサージ機のローラユニットである。
【０００８】
請求項２の考案は、底部の接続部材によって座体に連結されていることを特徴とする請求項１記載のマッサージ機のローラユニットである。
【０００９】
請求項３の考案は、前記メインローラと前記サブローラは同一のサイズであることを特徴とする請求項１記載のマッサージ機のローラユニットである。
【００１０】
請求項４の考案は、前記メインフレームの一側の底部には底部ストッパが設けられており、他側にはストッパ突部が設けられており、接続軸には軸突部が設けられており、サブフレームの軸突部に対応する部分には切欠が設けられており、それらが揺動を制限していることを特徴とする請求項１記載のマッサージ機のローラユニットである。
【考案の効果】
【００１１】
公知技術のものよりローラを増加し、枢動可能な接続点を増加させた構造により、ローラが背部からの押圧を受けて揺動する方向、および幅を増加させることができ、公知技術ではできなかった肩部、頚部のマッサージも可能となった。
【考案を実施するための最良の形態】
【００１２】
本考案は、基本的に背部マッサージ機に使用されるので、図１に示すように完成時にはカバーＡを設けることができ、図２、３に示すようにガイド溝Ｂ上の座体Ｃ上に設置することができる。
【００１３】
図２、３に示すように、本考案によるローラユニットは、両側に設けられているメインフレーム１と、メインフレーム１の一端に枢動可能に接続されているサブフレーム２と、メインフレーム１の他端に設けられているメインローラ３と、サブフレーム２の両端に設けられているサブローラ４とから構成されている。
【００１４】
メインフレーム１は細長いフレーム体であり、扁平状、棒状、その他の形状にすることができ、両メインフレーム１間には主軸１１が設けられており、枢動可能な状態となっている。座体Ｃと結合させるために、接続部材１２が設けることができ、板体等を採用することができるが、その形状に制限はない。各メインフレーム１の一端にはメインローラ軸１３が設けられており、メインローラ３が回動可能に接続されており、他端には接続軸１４が設けられており、サブフレーム２が枢動可能に接続されている。揺動を制限するために、メインフレーム１の一側の底部には底部ストッパ１５が一体に設けられており、他側にはストッパ突部１６が設けられており、接続軸１４には軸突部１４１が設けられている。
【００１５】
サブフレーム２もフレーム体であり、Ｖ字型を呈しており、その中央は前記接続軸１４に枢動可能に接続されており、両端にはそれぞれサブローラ軸２１が設けられており、サブローラ４が回動可能に接続されており、前記軸突部１４１に対応する位置には切欠２１１が設けられており、そこに軸突部１４１が収容され、下部への揺動を制限している。
【００１６】
メインローラ３は回動ローラであり、前記メインローラ軸１３上に回動可能に接続されている。
【００１７】
サブローラ４もまた回動ローラであり、前記サブローラ軸２１上に回動可能に接続されている。
【００１８】
図３に示すように、本考案を座体Ｃ上に設置し、ガイド溝Ｂ内を駆動装置によって上下に移動させることができるが、この駆動装置は公知技術であるので特に説明は行わない。
【００１９】
使用者の背部がローラユニットに接触した時（通常は背もたれ上に設置されており、サブフレーム２は上部を向いている）、メインフレーム１にメインローラ軸１３が設けられているのでメインローラ３とサブフレーム２は揺動可能な状態となっており、サブフレーム２の両サブローラ４も揺動可能な状態となっており、ローラユニットが頂部に達した時、頂部のサブローラ４は突出して肩部、頚部に接触することができ、背部以外に肩部、頚部のマッサージもできる。
【００２０】
上記の内容は本考案の好適な実施形態の一種を示したものであり、部分的な変更や修飾、本考案の技術に基づいた技術は全て本考案の範囲に含まれる。
【００２１】
本考案の目的、手段、効果は公知技術とは明らかに異なり、高い実用性を有するものである。
【図面の簡単な説明】
【００２２】
【図１】本考案によるローラユニットを備えるマッサージ機の分解図である。
【図２】本考案によるローラユニットの分解図である。
【図３】本考案によるローラユニットをガイド溝に設置した様子を示す斜視図である。
【符号の説明】
【００２３】
１      メインフレーム
２      サブフレーム
３      メインローラ
４      サブローラ
１１    主軸
１２    接続部材
１３    メインローラ軸
１４    接続軸
１５    底部ストッパ
１６    ストッパ突部
１４１  軸突部
２１１  切欠
２１    サブローラ軸
Ａ      カバー
Ｂ      ガイド溝
Ｃ      座体
【図１】
0003109630.tif 000003
【図２】
0003109630.tif 000004
【図３】
0003109630.tif 000005